(57)【特許請求の範囲】
【請求項１】
容量の異なる複数の計量スプーンが軸筒内部を移動可能に収容されたマルチ計量スプーン。
【請求項２】
後端にノック部材を備える、容量の異なる複数の計量スプーンが軸筒内部を移動可能に収容され、軸筒後端の窓孔から露出した前記ノック部材が備える指掛け突起を押し下げる操作により前記計量スプーンが軸筒先端の開口部から繰り出されるマルチ計量スプーン。
【請求項３】
前記ノック部材の指掛け突起と反対側に設けられた係止用突起の噛み合わせにより、計量スプーンの１つが軸筒先端の開口部から繰り出された状態で係止される請求項２のマルチ計量スプーン。
【発明の詳細な説明】
【技術分野】
【０００１】
本発明は複数の計量スプーンの収容する方法に関する。
【背景技術】
【０００２】
調味料等の計量に用いる計量スプーンは一箇所にまとめてキッチンに保管しておくことが好ましいところ、特許文献１によればスプーン本体とカバーよりなり、カバーをずらすことにより計量容量を変えることができる計量スプーン、いわゆるマルチ計量スプーンが提案されている。
【先行技術文献】
【特許文献】
【０００３】
【特許文献１】意匠登録１０９５３５６号
【発明の概要】
【発明が解決しようとする課題】
【０００４】
特許文献１のようなマルチ計量スプーンは複数の計量スプーンを一箇所にまとめて保管しておく必要がなくなるため、一見すると便利であるが、その一方で下記のとおりの課題を有する。
【０００５】
第一に、計量スプーンを調理に用いる場合、砂糖をテーブルスプーン１杯、塩ティースプーン１杯、のように複数の調味料を計量することが多々ある。特許文献１の計量スプーンでは調味料を計量するたびに、調味料が混ざらないように洗う必要があるため、調理しているその場において計量スプーンの大小を兼用できるわけではない。
【０００６】
第二に、特許文献１の計量スプーンのカバーをスライドさせる機構は、ユーザーに玩具のような印象を与えるため、キッチンインテリアとしての美観を損ないやすい。
【０００７】
本発明の課題は従来のマルチ計量スプーンが抱えている、機能的課題を解決しつつ、デザイン上の課題を併せて解決することにある。
【課題を解決するための手段】
【０００８】
上記の課題を解決するために、本発明のマルチ計量スプーンは、容量の異なる複数の計量スプーンが軸筒内部を移動可能に収容される構造とした。
【０００９】
また、後端にノック部材を備える、容量の異なる複数の計量スプーンが軸筒内部を移動可能に収容され、軸筒後端の窓孔から露出した前記ノック部材が備える指掛け突起を押し下げる操作により前記計量スプーンが軸筒先端の開口部から繰り出される構造とすることが好ましい。
【００１０】
また、前記ノック部材の指掛け突起と反対側に設けられた係止用突起の噛み合わせにより、計量スプーンの１つが軸筒先端の開口部から繰り出された状態で係止されるものである。
【発明の効果】
【００１１】
本発明によれば、容量の異なる複数の計量スプーンを移動可能に容器に収容することにより、調理時に複数の調味料を計量スプーンを洗うことなく同時に計量できるマルチ計量スプーンを提供するとともに、シンプルな機構でキッチンインテリアとしても遜色のないマルチ計量スプーンを提供することができる。
【図面の簡単な説明】
【００１２】
【図１】本発明のマルチ計量スプーンの構成を示す斜視図である。
【図２】本発明のマルチ計量スプーンの使用状態を示す斜視図である。
【図３】本発明のマルチ計量スプーンの使用状態を示す斜視図である。
【発明を実施するための形態】
【００１３】
本発明の実施形態を説明する。図１は本発明のマルチ計量スプーンの構成を示す斜視図である。
【００１４】
マルチ計量スプーンの軸筒の前の部分を構成する先軸１０１は前端が計量スプーン３０１、計量スプーン３０２、計量スプーン３０３を繰り出せるよう開口部を有しており、後端が後軸２０１とネジ止めできるようにネジ部１０２を設けている。
【００１５】
図示はしないが先軸１０１には滑り止めを設けてもよい。
【００１６】
マルチ計量スプーンの軸筒の後ろの部分を構成する後軸２０１は前端のネジ部２０２が前軸のネジ部１０２とネジ止め可能である。
【００１７】
ただし、他の実施形態として、前軸１０１と後軸２０１は他の手段により接続可能としてもよく、また先軸１０１と後軸２０２は一体なものとして設計してもよい。
【００１８】
後軸２０１は後端近傍において円周方向の複数箇所に軸方向に長い窓孔２０３を設けている。
【００１９】
窓孔２０３は後述するノック部材４０１、ノック部材４０２、ノック部材４０３がスライド自在に移動できるようガイドの溝が設けられている。
【００２０】
また、後軸２０１の後端はマルチ計量スプーンを立て置くために先太りした台２０４を備えている。
後軸２０２はキッチンの壁などにかけておくためのリングまたはフックを設けている（図はリング５０１である）。
【００２１】
先軸１０１および後軸２０１の内部は複数の計量スプーン３０１、計量スプーン３０２、計量スプーン３０３を移動自在に収容できるよう十分な空間を有している。
【００２２】
複数の計量スプーンは凸部同士が向かい合って背中合わせになるように先軸１０１および後軸２０２の内部に収容される。計量スプーンを切り替える際に切り替える前の計量スプーンで計量した調味料により他の計量スプーンが汚れるのを防ぐためである。ただし、先軸１０１および後軸２０１を細くするためにスプーンの凹部同士が向かい合って収容するように設計してもよいものとする。
【００２３】
先軸１０１および後軸２０１の内部に収容されるユニットについて説明する。
【００２４】
ユニットは各計量スプーンと各ノック部材とが軸方向に接続されたものである。
【００２５】
各計量スプーンは先軸１０１の前端に設けた開口部１０３から繰り出され、各ノック部材は後軸２０１の後端に設けた窓孔２０３からそれぞれ露出する。
【００２６】
各ノック部材は、指を当てて前方へとノックさせる指掛け突起４０４が後軸２０１の径方向外側に設けられており、窓孔２０３に設けられたガイドの溝の案内により、後軸２０１の内部において軸方向にスライド自在である（図示はせず）。
【００２７】
指掛け突起４０４は計量スプーン３０１、計量スプーン３０２、計量スプーン３０３においてそれぞれ異なった形状を有する。ユーザーが突起の形状により計量スプーンの容量を見分けられるようにするためである。
【００２８】
指掛け突起４０４は形状を異ならせるほか、色彩を異ならせることにより計量スプーンの容量を見分けられるようにしてもよい。
【００２９】
さらに、各ノック部材は、その前端に接続された各計量スプーン先端の計量部が先軸１０１前端の開口部１０３から繰り出された状態（繰り出された各計量スプーンにより計量が可能な状態）と、各計量スプーンの全体が先軸１０１および後軸２０１の内部に完全に収容された状態と、の２つの状態において係止可能である。
【００３０】
各ノック部材の後端近傍には後軸２０１の径方向内側（指掛け突起４０４のある側とは反対側）に複数の係止用突起（図示はせず）が設けられている。
【００３１】
ユーザーがノック部材の指掛け突起４０４に指を当てて、ユニットの１つを押し下げると、押し下げたユニットのノック部材に設けられた係止用突起と、他のユニットのノック部材に設けられた係止用突起が噛み合って、ユニット前端に接続された計量スプーン先端の計量部が先軸１０１前端の開口部１０３から繰り出された状態で係止される。
【００３２】
また、後軸２０１の内部には後軸２０１の内部空間を先端側と後端側とに仕切る、仕切り６０１が設けられている。この仕切り６０１には各ノック部材が挿通する孔が、計量スプーンとノック部材とからなるユニットの数だけ設けられている。図１ではユニットの数が３つのため、３つの孔が設けられている。
【００３３】
なお、各計量スプーンはそれぞれ各ノック部材から取り外して洗浄することができる。
【００３４】
計量スプーンの切り替えについて図２、図３により説明する。
【００３５】
図２のように、１つユニットの計量スプーン（図２では計量スプーン３０１）が繰り出された状態において、指掛け突起４０４に指を当てて他のユニット（図２では計量スプーン３０３のユニット）を軽く押し下げると、繰り出されているユニットのノック部材に設けられた係止用突起と、他のユニットのノック部材に設けられた係止用突起の噛み合わせが解除され、仕切り６０１とノック部材との間で圧縮されていたバネ４０５の弾性力により繰り出されていたユニットのノック部材は元の位置に復帰する。
【００３６】
そのまま他のユニットを窓孔２０３の一番下まで押し下げると、他のユニットのノック部材に設けられた係止用突起と、元々繰り出されていたユニットのノック部材に設けられた係止用突起とが噛み合うため、他のユニットの計量スプーン３０３が繰り出された状態でユニットが係止される（図３の状態になる）。
【００３７】
計量スプーンを２つの状態において係止する手段は、本発明で説明する方法の他に既知の方法および将来考案されるあらゆる適切な方法を用いることができる。
【００３８】
例えば、先に説明した計量スプーンの切り替え方法は特開２０１０−７６２８１号等に開示されている多色ボールペンにおけるリフィルの切り替え方法を応用したものであるが、ボタンを押すことによりバネ等の機構を利用して計量スプーンが飛び出し、使い終わった計量スプーンをユーザーの手により先軸１０１および後軸２０２に押し込んで収容する既知の仕組みにしてもよい。
【産業上の利用可能性】
【００３９】
本発明は複数の調味料を同時に計量できるマルチ計量スプーンとしての産業上の利用可能性を有する。また、その用途は調理に限らず、何らかの粉末または液体を計量するために用いることができる。
【符号の説明】
【００４０】
１０１  先軸
１０２  先軸ネジ部
２０１  後軸
２０２  後軸ネジ部
２０３  窓孔
２０４  台
３０１  計量スプーン
３０２  計量スプーン
３０３  計量スプーン
４０１  ノック部材
４０２  ノック部材
４０３  ノック部材
４０４  指掛け突起
４０５  バネ
５０１  リング
６０１  仕切り
【要約】
【課題】調理時に複数の調味料が混ざらないように、計量するたびに計量スプーンを洗うことなく同時に計量できるマルチ計量スプーンを提供するとともに、シンプルな機構でキッチンインテリアとしても遜色のないマルチ計量スプーンを提供する。
【解決手段】後端にノック部材を備える複数の計量スプーンが軸筒内部を移動可能に収容され、軸筒後端の窓孔から露出した前記ノック部材が備える指掛け突起を押し下げる操作により前記計量スプーンが軸筒先端の開口部から繰り出される構造とした。
【選択図】図２【図１】
0005771817.tif 000002
【図２】
0005771817.tif 000003
【図３】
0005771817.tif 000004